(57)【特許請求の範囲】
【請求項１】
壁に据え付けられる室内機であって、
ファンを収容すると共に、前記ファンによって発生した空気流を吹き出すための吹出流路を有するケーシングと、
前記吹出流路内に設けられ、前記壁に据え付けられた状態において水平方向の軸を中心に揺動可能な水平羽根と、
前記吹出流路の内周面において、冷房運転時の前記水平羽根の可動域より背面側に設けられた板状リブとを備え、
前記板状リブは、前記壁に据え付けられた状態において前記吹出流路の水平方向端部に配置され、前記空気流の方向を変更可能であって前記吹出流路の側壁に沿った面と略直交する空気流衝突面を有すると共に、前記空気流衝突面において開口し且つ前記空気流が通過可能な孔を有していることを特徴とする室内機。
【請求項２】
前記板状リブは、冷房運転時の前記水平羽根の可動域より前記空気流の吹出方向の上流側に配置されていることを特徴とする請求項１に記載の室内機。
【請求項３】
前記板状リブは、前記孔を複数有していることを特徴とする請求項１または２に記載の室内機。
【請求項４】
前記複数の孔は、前記壁に据え付けられた状態において水平方向に離れた位置に配置されていることを特徴とする請求項３に記載の室内機。
【発明の詳細な説明】
【技術分野】
【０００１】
本発明は、壁面に据え付けられる室内機に関するものである。
【背景技術】
【０００２】
空気調和機は、室内に設置される室内機と、室外に設置される室外機とを備えるものが一般的である。この室内機は、室内の壁面に据え付けられることが多く、ファンを収容するケーシングを有している（例えば特許文献１参照）。図１５に示すように、室内機８０のケーシングの前面８１には、ファンによって発生した空気流を吹き出すための吹出口８２が設けられている。また、この吹出口８２には、上下方向の風向きを変更するための水平羽根８３が揺動可能に設けられている。
【先行技術文献】
【特許文献】
【０００３】
【特許文献１】特開２０１０−０６０１７２号公報
【発明の概要】
【発明が解決しようとする課題】
【０００４】
この室内機では、冷房運転の際に、室内の湿気を含んだ空気が、吹出口８２から吹き出された冷風Ａ２によって巻き込まれる（図中の矢印Ｂ２参照）。この巻き込まれた空気が、室内機前面８１の吹出口８２の周辺部８１ａに接触すると、この部分８１ａに結露が生じることがある。この場合、結露による水滴が室内へ落下するという問題が生じる。
【０００５】
そこで、本発明の目的は、室内機前面において結露が発生するのを抑制できる室内機を提供することである。
【課題を解決するための手段】
【０００６】
上記課題を解決するために、第１の発明に係る室内機は、壁に据え付けられる室内機であって、ファンを収容すると共に、前記ファンによって発生した空気流を吹き出すための吹出流路を有するケーシングと、前記吹出流路内に設けられ、前記壁に据え付けられた状態において水平方向の軸を中心に揺動可能な水平羽根と、前記吹出流路の内周面において、冷房運転時の前記水平羽根の可動域より背面側に設けられた板状リブとを備え、前記板状リブは、前記壁に据え付けられた状態において前記吹出流路の水平方向端部に配置され、前記空気流の方向を変更可能であって前記吹出流路の側壁に沿った面と略直交する空気流衝突面を有すると共に、前記空気流衝突面において開口し且つ前記空気流が通過可能な孔を有していることを特徴とする。
【０００７】
この室内機では、吹出流路の内周面に板状リブが配置されているため、吹出流路内の板状リブの下流側の位置から室内に吹き出される空気流は、板状リブを設けない場合に比べて低減する。そのため、冷房運転時に、この空気流による室内空気の巻き込みが抑制され、その結果、室内機の前面の吹出口(吹出流路の下流端)の周辺部のうち、板状リブに近い位置において、結露が生じるのを抑制することができる。
したがって、室内機の前面のうち、吹出口の横で、且つ、板状リブに近い位置において、結露が発生するのを抑制することができる。
また、板状リブは、冷房運転時の水平羽根の可動域よりも室内機の背面側に配置されているため、孔を有していないと、板状リブの下流側の位置で、室内空気の巻き込みが生じて、水平羽根の板状リブの下流側の部分において結露が発生してしまう。
本発明では、板状リブに孔を設けて、ファンから送られた空気流を完全には遮断せずに一部を通過させているため、板状リブの下流側の位置で、室内空気の巻き込みが生じるのを抑制することができる。そのため、水平羽根に結露が生じるのを抑制することができる。
なお、本発明において「空気流の方向を変更可能な面」とは、ファンの軸方向に垂直な面以外の面のこととする。
【０００８】
第２の発明に係る室内機は、第１の発明に係る室内機において、前記板状リブは、冷房運転時の前記水平羽根の可動域より前記空気流の吹出方向の上流側に配置されていることを特徴とする。
【０００９】
この室内機では、板状リブが水平羽根に結露を生じさせやすい位置に配置されているため、板状リブに孔を設けて水平羽根の結露を抑制することが特に有効となる。
【００１０】
【００１１】
【００１２】
第３の発明に係る室内機は、第１または２の発明に係る室内機において、前記板状リブは、前記孔を複数有していることを特徴とする。
【００１３】
この室内機では、複数の孔の全開口面積と同じ開口面積の１つの孔を有する板状リブを設ける場合に比べて、ファンから送られた空気流を分散させることができるため、室内機前面と水平羽根における結露をより確実に抑制することができる。
【００１４】
第４の発明に係る室内機は、第３の発明に係る室内機において、前記複数の孔は、前記壁に据え付けられた状態において水平方向に離れた位置に配置されていることを特徴とする。
【００１５】
この室内機では、板状リブは水平方向に並んだ複数の孔を有するため、上下方向に並んだ複数の孔を有する場合に比べて、水平羽根における板状リブの下流側の部分に対して、より均一に空気流を衝突させることができる。したがって、水平羽根の結露をより確実に抑制することができる。
【発明の効果】
【００１６】
以上の説明に述べたように、本発明によれば、以下の効果が得られる。
【００１７】
第１の発明では、吹出流路の内周面に板状リブが配置されているため、吹出流路内の板状リブの下流側の位置から室内に吹き出される空気流は、板状リブを設けない場合に比べて低減する。そのため、冷房運転時に、この空気流による室内空気の巻き込みが抑制され、その結果、室内機の前面の吹出口(吹出流路の下流端)の周辺部のうち、板状リブに近い位置において、結露が生じるのを抑制することができる。
したがって、室内機の前面のうち、吹出口の横で、且つ、板状リブに近い位置において、結露が発生するのを抑制することができる。
また、板状リブは、冷房運転時の水平羽根の可動域よりも室内機の背面側に配置されているため、孔を有していないと、板状リブの下流側の位置で、室内空気の巻き込みが生じて、水平羽根の板状リブの下流側の部分において結露が発生してしまう。
本発明では、板状リブに孔を設けて、ファンから送られた空気流を完全には遮断せずに一部を通過させているため、板状リブの下流側の位置で、室内空気の巻き込みが生じるのを抑制することができる。そのため、水平羽根に結露が生じるのを抑制することができる。
【００１８】
第２の発明では、板状リブが水平羽根に結露を生じさせやすい位置に配置されているため、板状リブに孔を設けて水平羽根の結露を抑制することが特に有効となる。
【００１９】
【００２０】
第３の発明では、複数の孔の全開口面積と同じ開口面積の１つの孔を有する板状リブを設ける場合に比べて、ファンから送られた空気流を分散させることができるため、室内機前面と水平羽根における結露をより確実に抑制することができる。
【００２１】
第４の発明では、板状リブは水平方向に並んだ複数の孔を有するため、上下方向に並んだ複数の孔を有する場合に比べて、水平羽根における板状リブの下流側の部分に対して、より均一に空気流を衝突させることができる。したがって、水平羽根の結露をより確実に抑制することができる。
【図面の簡単な説明】
【００２２】
【図１】本発明の実施形態に係る室内機の斜視図である。
【図２】図１の室内機の部分拡大図である。
【図３】図１の室内機の正面図である。
【図４】図３のＡ−Ａ線断面図である。
【図５】図４の部分拡大図であって、水平羽根の全可動域を示す図である。
【図６】図４の部分拡大図であって、冷房運転時の水平羽根の可動域を示す図である。
【図７】図１の室内機の吹出流路の一部を構成する部品を示す図であって、（ａ）は正面図で、（ｂ）は（ａ）のＢ矢視図で、（ｃ）は（ａ）のＣ−Ｃ線断面図で、（ｄ）は（ａ）のＤ−Ｄ線断面図で、（ｅ）は（ｂ）のＥ矢視図である。
【図８】（ａ）は図６のＦ−Ｆ線断面図であって、冷房運転時の空気の流れを示す図であり、（ｂ）は板状リブに孔を設けない場合の冷房運転時の空気の流れを示す図である。
【図９】本発明の他の実施形態の板状リブを示す図である。
【図１０】本発明の他の実施形態の板状リブを示す図である。
【図１１】本発明の他の実施形態の板状リブを示す図である。
【図１２】本発明の他の実施形態の板状リブを示す図である。
【図１３】本発明の他の実施形態の板状リブを示す図である。
【図１４】本発明の他の実施形態の板状リブを示す図である。
【図１５】従来の室内機の冷房運転時の吹出流路内を示す図である。
【発明を実施するための形態】
【００２３】
以下、本発明の実施の形態について説明する。
図１に示すように、本実施形態の室内機１は、全体として一方向に細長い形状を有しており、その長手方向が水平となるように室内の壁面に据え付けられるものである。なお、以下の説明において、室内機１が取り付けられる壁から突出する方向を「前方」と称し、その反対の方向を「後方」と称する。また、図１に示す左右方向を単に「左右方向」と称する。
【００２４】
室内機１は、図示しない室外機と共に空気調和機を構成しており、室内の冷暖房を行う。図１〜図４に示すように、室内機１は、ケーシング２と、熱交換器（図示省略）と、ファン３（図４参照）と、２枚の水平羽根４、５（図１、２、４参照）と、２つの板状リブ６０、６１を有する突出部６（図２、４参照）とを備えている。なお、図２は、水平羽根４、５の一部を破線で表示しており、図３は、水平羽根４、５を省略して表示している。
【００２５】
図４に示すように、ケーシング２は、略直方体の箱状を構成する背面部２１および前面部２２と、吹出流路２３とを有している。背面部２１は、平板状であって、壁に取り付けられる。
【００２６】
図４に示すように、前面部２２の上部には、吸込口２２ａが形成されている。図３に示すように、吸込口２２ａは、室内機１の長手方向に長い複数のスリット状の開口である。図４に示すように、前面部２２の下部には、吹出口２２ｂが形成されている。図３に示すように、吹出口２２ｂは、室内機１の長手方向に長い矩形状の開口である。図３に示すように、吹出口２２ｂの右側には表示パネル２２ｃが設けられており、吹出口２２ｂは、室内機１において中心より左寄りの位置に形成されている。
【００２７】
図４に示すように、ケーシング２の内部には、熱交換器（図示省略）とファン３が収容されている。ファン３は、室内機１の長手方向に沿って延在しており、ファン３の上前方の空気を吸い込んで、下後方に吹き出すように構成されている。熱交換器は、ファン３の上方と前方を取り囲むように配置されている。
【００２８】
吹出流路２３は、ファン３によって発生した空気流を吹出口２２ｂに導いて、吹出口２２ｂから吹き出させるために設けられている。図４に示すように、吹出流路２３の内周面は、天井面２４と、底面２５と、右側面２６と、左側面２７（図３参照）とによって構成されている。右側面２６および左側面２７は、水平方向に直交している。
【００２９】
図４〜図６に示すように、２枚の水平羽根４、５は、吹出流路２３の下流端（即ち、吹出口２２ｂ）の内側に配置されている。水平羽根４、５は、吹出口２２ｂから吹き出される空気流の上下方向の風向きを変更すると共に、吹出口２２ｂの開閉を行うために設けられている。水平羽根４、５は、それぞれ、室内機１の長手方向に長い矩形状の板部材である。水平羽根４は、吹出口２２ｂ内の前側部分に配置され、水平羽根５は、吹出口２２ｂ内の後側部分に配置されている。水平羽根４の長手方向に直交する方向の長さは、水平羽根５の長手方向に直交する方向の長さよりも長い。
【００３０】
水平羽根４の長手方向の両端部には、支持部４０が設けられており、この支持部４０は、吹出流路２３の両側面２６、２７に設けられた揺動軸４１に取り付けられている。同様に、水平羽根５の長手方向の両端部には、支持部５０が設けられており、この支持部５０は、吹出流路２３の両側面２６、２７に設けられた揺動軸５１に取り付けられている。これにより、水平羽根４、５は、それぞれ、揺動軸４１、５１を中心として揺動可能となっている。図５中の円弧状の破線は、水平羽根４、５の全可動域における水平羽根４、５の端部の位置を示している。また、図６中の円弧状の破線は、冷房運転時の水平羽根４、５の可動域における水平羽根４、５の端部の位置を示している。
【００３１】
図２および図４〜図６に示すように、突出部６は、吹出流路２３の底面２５の右端部から底面２５に略直交する方向に突出して形成されている。突出部６の右端は、吹出流路２３の右側面２６に接しているか、微小な隙間を空けて離れている。
【００３２】
図２、図７および図８（ａ）に示すように、突出部６は、２つの板状リブ６０、６１と、この２つの板状リブ６０、６１を連結する連結部６２によって構成されている。板状リブ６０、６１は、それぞれ、孔６０ａ、６１ａを有する平板状の部材であって、連結部６２は平板状の部材である。図７（ｅ）および図８（ａ）に示すように、板状リブ６０は、底面２５の右端から水平方向左側に延在し、連結部６２は、板状リブ６０の左端から後方に延在し、板状リブ６１は、連結部６２の後端から水平方向左側に延在している。つまり、板状リブ６０、６１は、底面２５と略直交し、且つ、水平方向に平行となる向きに配置されている。したがって、ファン３から送られた空気流は、板状リブ６０、６１の後面６０ｂ、６１ｂに衝突してその向きが変更される。また、孔６０ａ、６１ａは、板状リブ６０、６１を前後方向に貫通するように形成されており、ファン３から送られた空気流が通過可能となっている。
【００３３】
また、図６に示すように、突出部６は、冷房運転時の水平羽根５の可動域より後方（背面部２１側）に配置されている。より詳細には、突出部６は、冷房運転時の水平羽根５の可動域より空気流の吹出方向の上流側に配置されている。
【００３４】
また、図７に示すように、突出部６は、吹出流路２３の底面２５の前側部分を構成する部品２８に一体成型によって形成されている。この部品２８は、底面２５を構成する部分の右端の後端に、矩形状の切欠部２８ａを有しており、板状リブ６０および連結部６２は、この切欠部２８ａの縁に沿って形成されている。
【００３５】
次に、室内機１の動作について説明する。
ファン３を駆動することにより、吸込口２２ａから空気が吸い込まれる。この吸い込まれた空気は、熱交換器（図示省略）を通過して熱交換された後、ファン３を通過し、その後、吹出流路２３と水平羽根４、５に沿って流れて、吹出口２２ｂから吹き出される。
【００３６】
本実施形態の室内機１では、吹出流路２３の底面２５の右端部に板状リブ６０、６１が配置されているため、図８（ａ）に示すように、冷房運転時に、吹出口２２ｂ内の板状リブ６０、６１の下流側の位置から室内に吹き出される冷風Ａ１は、板状リブを設けない場合（図１５参照）に比べて低減する。そのため、この冷風Ａ１による室内空気の巻き込み（図８（ａ）中の矢印Ｂ１参照）が抑制される。つまり、前面部２２における吹出口２２ｂの右側の部分２２ｄ（図２および図８（ａ）参照。詳細には、表示パネル２２ｃの左下部分）の付近において、室内空気が巻き込まれにくくなる。その結果、前面部２２の部分２２ｄにおいて、結露が生じるのを抑制することができる。
【００３７】
また、板状リブ６０、６１は、冷房運転時の水平羽根５の可動域よりも後方（背面側）に位置しているため、仮に、図８（ｂ）に示すように、突出部６に代えて、孔を有しない板状リブ９６を配置した場合、板状リブ９６の下流側の位置から室内に吹き出される冷風がかなり少なくなり、冷風Ａ３の吹出位置が左側にずれる。そのため、板状リブ９６の下流側の位置で、室内空気の巻き込み（図８（ｂ）中の矢印Ｂ３参照）が生じて、水平羽根９３の右端部（板状リブ９６の下流側の部分）９３ａにおいて結露が発生してしまう。
本実施形態では、板状リブ６０、６１に孔６０ａ、６１ａを設けて、ファン３から送られた冷風を完全には遮断せずに一部を通過させているため、板状リブ６０、６１の下流側の位置で、室内空気の巻き込みが生じるのを抑制することができる。そのため、水平羽根５に結露が生じるのを抑制することができる。
【００３８】
また、本実施形態の室内機１では、板状リブ６０、６１は、水平羽根５に結露を生じさせやすい位置（冷房運転時の水平羽根５の可動域より冷風の吹出方向の上流側に位置）に配置されているため、板状リブ６０、６１に孔を設けて水平羽根５の結露を抑制することが特に有効となる。
【００３９】
なお、本実施形態の室内機１は、吹出口２２ｂが室内機１の左寄りに形成されているため、前面部２２の吹出口２２ｂの左側部分よりも右側部分において結露が発生しやすい。そのため、本実施形態では、突出部６を吹出流路２３の底面２５の右端にしか設けていないが、底面２５の左端にも突出部６を設けてもよい。
【００４０】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。なお、後述する変更形態は、適宜組み合わせて実施することも可能である。
【００４１】
上記実施形態では、突起部６は、部品２８に一体成型により形成されているが、底面２５（または右側面２６）に接着剤等で貼り付けられていてもよい。
【００４２】
上記実施形態では、板状リブ６０、６１の外形は、矩形状であるが、矩形以外の形状であってもよい。また、孔６０ａ、６１ａの形状も矩形以外の形状であってもよい。
【００４３】
上記実施形態では、板状リブ６０、６１は厚みが一定であるが、厚みが変化していてもよい。つまり、前方の面と後方の面が平行でなくてもよい。
【００４４】
上記実施形態では、突出部６は、板状リブ６０、６１と連結部６２で構成されているが、連結部６２は設けなくてもよい。
【００４５】
上記実施形態の突出部６の代わりに、板状リブ６０のみ、または、板状リブ６１のみを配置してもよい。
【００４６】
上記実施形態では、板状リブ６０、６１の有する孔の数は１つであるが、複数の孔を有していてもよい。例えば図９（ａ）に示す板状リブ１６０のように、複数の孔１６０ａが水平方向に並んで形成されていてもよい。また、例えば図９（ｂ）に示す板状リブ２６０のように、複数の孔２６０ａが上下方向に並んで形成されていてもよい。この構成によると、複数の孔の全開口面積と同じ開口面積の１つの孔を有する板状リブを設ける場合に比べて、ファンから送られた空気流を分散させることができるため、前面部２２と水平羽根５における結露をより確実に抑制することができる。また、水平方向に並んだ複数の孔１６０ａを設けた場合、上下方向に並んだ複数の孔２６０ａを設けた場合に比べて、水平羽根５における板状リブの下流側の部分に対して、より均一に空気流を衝突させることができ、水平羽根５の結露をより確実に抑制することができる。
【００４７】
上記実施形態では、板状リブ６０、６１の孔６０ａ、６１ａは、周囲が閉じられているが、この形状に限定されない。例えば、図１０（ａ）に示す板状リブ３６０のように、上側が開口したスリット状の孔３６０ａが形成されていてもよい。また、例えば図１０（ｂ）に示す板状リブ４６０ように、図中左側が開口したスリット状の孔３６０ａが形成されていてもよい。なお、図１０（ａ）および図１０（ｂ）は、板状リブ３６０、４６０が複数の孔を有する場合の例を示しているが、孔の数は１つでもよい。
【００４８】
上記実施形態では、板状リブ６０、６１は、吹出流路２３の底面２５の右端部から突出して形成されているが、吹出流路２３の右側面２６から突出して形成されていてもよい。この場合、板状リブは、右側面２６の下端に形成されていてもよく、図１１に示す板状リブ５６０のように、右側面２６の下端よりも上方の位置に形成されていてもよい。
【００４９】
上記実施形態では、板状リブ６０、６１は、水平方向に沿うように形成されているが、この構成に限定されない。板状リブは、前後方向に沿って形成されたものでなければ、必ずしも水平方向に沿って形成されていなくてもよい。言い換えると、板状リブは、室内機１の長手方向（ファン３の軸方向）に直交する面以外の面（空気流の方向を変更可能な面）を有するものであればよい。例えば図１２に示す板状リブ６６０のように、水平方向に対して傾斜する方向に沿って形成されていてもよい。なお、図１２の板状リブ６６０は、左端が右端よりも後方に位置するように傾斜しているが、左端が右端よりも前方に位置するように傾斜していてもよい。
【００５０】
上記実施形態では、板状リブ６０、６１は、底面２５に対して略直交する方向に延在しているが、この構成に限定されない。例えば図１３に示す板状リブ７６０のように、底面２５に対して、直交方向以外の方向に延在していてもよい。なお、図１３の板状リブ７６０は、上端が下端よりも後方に位置するように傾斜しているが、上端が下端よりも前方に位置するように傾斜していてもよい。
【００５１】
上記実施形態の突出部６の代わりに、例えば図１４に示すように、複数（図１４では２つ）の板状リブ８６０、８６１を前後方向に離れた位置に配置してもよい。この場合、複数の板状リブ８６０、８６１は、平行であることが好ましい。また、複数の板状リブ８６０、８６１の形状（底面２５からの突出高さと水平方向幅、孔の形状）は、同じであっても異なっていてもよい。
【００５２】
上記実施形態では、板状リブ６０、６１を吹出流路２３の右端にのみ設けているが、上記実施形態で述べたように、吹出流路２３の左端にも設けてもよい。また、室内機の構成によっては、吹出流路２３の左端にのみ設けてもよい。
【００５３】
上記実施形態では、板状リブ６０、６１を吹出流路２３の右下端に設けているが、水平羽根４、５の構成によっては、吹出流路２３の右上端に板状リブを設けてもよい。
【００５４】
上記実施形態では、板状リブ６０、６１を吹出流路２３の水平方向端部にのみ設けているが、室内機の構成によっては、吹出流路２３の内周面の水平方向端部以外の位置（例えば、底面２５の長手方向略中央）にも板状リブを設けてもよい。
【産業上の利用可能性】
【００５５】
本発明を利用すれば、室内機前面において結露が発生するのを抑制できる。
【符号の説明】
【００５６】
１  室内機
２  ケーシング
３  ファン
４、５  水平羽根
２２ｂ  吹出口
２３  吹出流路
６０  板状リブ
６０ａ  孔
６０ｂ  後面
６１  板状リブ
６１ａ  孔
６１ｂ  後面
【図１】
0005402871.tif 000002
【図２】
0005402871.tif 000003
【図３】
0005402871.tif 000004
【図４】
0005402871.tif 000005
【図５】
0005402871.tif 000006
【図６】
0005402871.tif 000007
【図７】
0005402871.tif 000008
【図８】
0005402871.tif 000009
【図９】
0005402871.tif 000010
【図１０】
0005402871.tif 000011
【図１１】
0005402871.tif 000012
【図１２】
0005402871.tif 000013
【図１３】
0005402871.tif 000014
【図１４】
0005402871.tif 000015
【図１５】
0005402871.tif 000016